(57)【要約】  複数の電源ユニットを含むシステム全体としての発電効率を向上する電力供給機器、電力供給システム、および電力供給方法を提供する。複数の電源ユニット２０Ａ，２０Ｂを含む複数の分散型電源を並列運転し、これら複数の分散型電源からの出力電力を負荷２００に供給する電力供給機器５は、複数の電源ユニット２０Ａ，２０Ｂのうち発電効率が高いものから優先して出力電力が高くなるように、各電源ユニットを制御する制御部１８を備える。
2016063517.tif 000002
【特許請求の範囲】
【請求項１】
複数の電源ユニットを含む複数の分散型電源を並列運転し、前記複数の分散型電源からの出力電力を負荷に供給する電力供給機器であって、
前記複数の電源ユニットのうち発電効率が高いものから優先して出力電力が高くなるように、各電源ユニットを制御する制御部を備える、電力供給機器。
【請求項２】
前記制御部は、前記複数の電源ユニットの起動時から所定時間、前記複数の電源ユニットのうち起動時間が短いものから優先して出力電力が高くなるように制御を行う、請求項１に記載の電力供給機器。
【請求項３】
前記複数の電源ユニットは、前記複数の電源ユニットにそれぞれ接続された電流センサが順潮流の電流を検出している時に電力を出力し、
前記制御部は、前記電力供給機器の自立運転時、前記電流センサによって検出される電流をそれぞれ制御することにより、前記各電源ユニットを制御する、請求項１に記載の電力供給機器。
【請求項４】
前記制御部は、前記負荷の消費電力が、前記複数の電源ユニットのうち発電効率が最も高いものの最大の出力電力よりも大きい時、前記発電効率が最も高い電源ユニットが最大出力になるように制御し、前記発電効率が最も高い電源ユニット以外の電源ユニットが負荷追従するように制御する、請求項１から３のいずれか１項に記載の電力供給機器。
【請求項５】
前記制御部は、前記負荷の消費電力が、前記複数の電源ユニット全ての最大の出力電力よりも大きい時、前記複数の電源ユニット全てが最大出力になるように制御し、前記複数の電源ユニット以外の分散型電源が出力する電力を前記負荷に供給するように制御する、請求項１から３のいずれか１項に記載の電力供給機器。
【請求項６】
前記制御部は、前記負荷の消費電力が、前記複数の電源ユニット全ての最小の出力電力よりも小さい時、前記複数の電源ユニット全てが最小出力になるように制御し、前記複数の電源ユニットが出力する電力の余剰を、前記複数の分散型電源に含まれる蓄電池に充電するように制御する、請求項１から３のいずれか１項に記載の電力供給機器。
【請求項７】
複数の電源ユニットを含む複数の分散型電源と、
前記複数の分散型電源を並列運転し、前記複数の分散型電源からの出力電力を負荷に供給する電力供給機器と、
を含む電力供給システムであって、
前記電力供給機器は、前記複数の電源ユニットのうち発電効率が高いものから優先して出力電力が高くなるように、各電源ユニットを制御する制御部を備える、電力供給システム。
【請求項８】
前記制御部は、前記複数の電源ユニットの起動時から所定時間、前記複数の電源ユニットのうち起動時間が短いものから優先して出力電力が高くなるように制御を行う、請求項７に記載の電力供給システム。
【請求項９】
前記複数の電源ユニットは、前記複数の電源ユニットにそれぞれ接続された電流センサが順潮流の電流を検出している時に電力を出力し、
前記制御部は、前記電力供給機器の自立運転時、前記電流センサによって検出される電流をそれぞれ制御することにより、前記各電源ユニットを制御する、請求項７に記載の電力供給システム。
【請求項１０】
前記制御部は、前記負荷の消費電力が、前記複数の電源ユニットのうち発電効率が最も高いものの最大の出力電力よりも大きい時、前記発電効率が最も高い電源ユニットが最大出力になるように制御し、前記発電効率が最も高い電源ユニット以外の電源ユニットが負荷追従するように制御する、請求項７から９のいずれか１項に記載の電力供給システム。
【請求項１１】
前記制御部は、前記負荷の消費電力が、前記複数の電源ユニット全ての最大の出力電力よりも大きい時、前記複数の電源ユニット全てが最大出力になるように制御し、前記複数の電源ユニット以外の分散型電源が出力する電力を前記負荷に供給するように制御する、請求項７から９のいずれか１項に記載の電力供給システム。
【請求項１２】
複数の電源ユニットを含む複数の分散型電源を並列運転するステップと、
前記複数の分散型電源からの出力電力を負荷に供給するステップと、
前記複数の電源ユニットのうち発電効率が高いものから優先して出力電力が高くなるように、各電源ユニットを制御するステップと、
を含む電力供給方法。
【請求項１３】
前記複数の電源ユニットの起動時から所定時間、前記複数の電源ユニットのうち起動時間が短いものから優先して出力電力が高くなるように制御を行うステップをさらに含む、請求項１２に記載の電力供給方法。
【請求項１４】
前記制御するステップにおいて、前記負荷の消費電力が、前記複数の電源ユニットのうち発電効率が最も高いものの最大の出力電力よりも大きい時、前記発電効率が最も高い電源ユニットが最大出力になるように制御し、前記発電効率が最も高い電源ユニット以外の電源ユニットが負荷追従するように制御する、請求項１２または１３に記載の電力供給方法。
【請求項１５】
前記制御するステップにおいて、前記負荷の消費電力が、前記複数の電源ユニット全ての最大の出力電力よりも大きい時、前記複数の電源ユニット全てが最大出力になるように制御し、前記複数の電源ユニット以外の分散型電源が出力する電力を前記負荷に供給するように制御する、請求項１２または１３に記載の電力供給方法。
【発明の詳細な説明】
【関連出願へのクロスリファレンス】
【０００１】
本出願は、２０１４年１０月２３日に出願された日本国特許出願第２０１４−２１６５０７号に基づく優先権を主張するものであり、この先の出願の開示全体を、ここに参照のために取り込む。
【技術分野】
【０００２】
本発明は、電力供給機器、電力供給システム、および電力供給方法に関する。より詳細には、本発明は、例えば燃料電池のような複数の分散型電源が出力する電力を供給する電力供給機器、このような電力供給機器を複数接続する電力供給システム、および、このようなシステムにおける電力供給方法に関する。
【背景技術】
【０００３】
近年、例えば太陽電池および燃料電池のような複数の分散型電源を発電装置として接続し、これらの発電装置が発電する電力を供給するシステムが研究されている。このような分散型電源として用いられる発電装置には、例えば固体高分子形燃料電池（ＰＥＦＣ）および固体酸化物形燃料電池（ＳＯＦＣ）などのような燃料電池がある。このような燃料電池を分散型電源として複数採用するシステムも提案されている。【０００４】
例えば、複数の燃料電池ユニットを含む複数の分散型電源を並列運転するシステムも提案されている（例えば特許文献１参照）。特許文献１に開示のシステムは、複数の燃料電池それぞれの定格運転時の発電量を予め記憶し、現在駆動していると判断される燃料電池の定格運転時の発電量の合計値を総発電量として算出する。
【先行技術文献】
【特許文献】
【０００５】
【特許文献１】特開２００７−１９４１３７号公報
【発明の概要】
【発明が解決しようとする課題】
【０００６】
一般的に、ＳＯＦＣの電源ユニットの発電効率は５０〜７０％程度と比較的高いが、運転温度は７００〜１０００℃程度の高温にする必要があるため、比較的長い起動時間を要する。一方、ＰＥＦＣの電源ユニットの発電効率は３０〜４０％程度であるが、運転温度は８０〜１００℃程度の比較的低温であるため、起動時間は比較的短い時間で済む。【０００７】
したがって、分散型電源としてＳＯＦＣおよびＰＥＦＣの双方を含むシステムにおいては、電力の供給を開始すると、発電効率の高いＳＯＦＣの起動が完了する前に、発電効率の低いＰＥＦＣが起動を完了して発電を開始する。その結果、発電効率の高いＳＯＦＣが最大の出力で運転しないため、システム全体としての効率を低下させる要因になる。【０００８】
本発明の目的は、複数の電源ユニットを含むシステム全体としての発電効率を向上する電力供給機器、電力供給システム、および電力供給方法を提供することにある。
【課題を解決するための手段】
【０００９】
上記目的を達成する第１の観点に係る発明は、
複数の電源ユニットを含む複数の分散型電源を並列運転し、前記複数の分散型電源からの出力電力を負荷に供給する電力供給機器であって、
前記複数の電源ユニットのうち発電効率が高いものから優先して出力電力が高くなるように、各電源ユニットを制御する制御部を備える。【００１０】
また、上記目的を達成する第２の観点に係る発明は、
複数の電源ユニットを含む複数の分散型電源と、
前記複数の分散型電源を並列運転し、前記複数の分散型電源からの出力電力を負荷に供給する電力供給機器と、
を含む電力供給システムであって、
前記電力供給機器は、前記複数の電源ユニットのうち発電効率が高いものから優先して出力電力が高くなるように、各電源ユニットを制御する制御部を備える。【００１１】
また、上記目的を達成する第３の観点に係る電力供給方法の発明は、
複数の電源ユニットを含む複数の分散型電源を並列運転するステップと、
前記複数の分散型電源からの出力電力を負荷に供給するステップと、
前記複数の電源ユニットのうち発電効率が高いものから優先して出力電力が高くなるように、各電源ユニットを制御するステップと、
を含む。
【発明の効果】
【００１２】
本発明の実施形態に係る電力供給機器、電力供給システム、および電力供給方法によれば、複数の電源ユニットを含むシステム全体としての発電効率を向上することができる。
【図面の簡単な説明】
【００１３】
【図１】本発明の実施形態に係る電力供給システムを概略的に示す機能ブロック図である。
【図２】従来の電力供給機器の動作の例を説明する図である。
【図３】本発明の実施形態に係る電力供給機器の動作の例を説明する図である。
【図４】本発明の実施形態に係る電力供給機器の動作の他の例を説明する図である。
【図５】本発明の実施形態に係る電力供給機器の動作の他の例を説明する図である。
【図６】本発明の実施形態に係る電力供給機器の動作の他の例を説明する図である。
【図７】本発明の実施形態に係る電力供給機器の動作を説明するフローチャートである。
【発明を実施するための形態】
【００１４】
以下、本発明の実施形態について、図面を参照して説明する。
【００１５】
図１は、本発明の実施形態に係る電力供給機器を含む電力供給システムを概略的に示す機能ブロック図である。図１において、実線は主に電力の経路を示し、破線は主に制御信号または各種情報を通信する信号の経路を示す。以下の説明において、従来よく知られている要素および機能部については、適宜、説明を簡略化または省略する。
【００１６】
図１に示すように、本発明の実施形態に係る電力供給システム１は、電力供給機器５、固体酸化物形燃料電池（ＳＯＦＣ）２０Ａ、固体高分子形燃料電池（ＰＥＦＣ）２０Ｂ、太陽電池２２、および蓄電池２４を含んで構成される。また、本実施形態に係る電力供給機器５は、インバータ１０および制御部１８を備えている。以下の説明において、固体酸化物形燃料電池はＳＯＦＣと記し、固体高分子形燃料電池はＰＥＦＣと記す。
【００１７】
図１において、電力供給システム１は、複数の分散型電源として、ＳＯＦＣ２０Ａ、ＰＥＦＣ２０Ｂ、太陽電池２２、および蓄電池２４を備える例を示してある。しかしながら、本実施形態に係る電力供給システム１は、例えば燃料電池のような任意の複数の電源ユニットを含む任意の複数の分散型電源を含んで構成することができる。すなわち、本実施形態に係る電力供給システム１は、最小限の構成としては、ＳＯＦＣ２０ＡおよびＰＥＦＣ２０Ｂのような２つの分散型電源のみを含んで構成することができる。他の構成として、本実施形態に係る電力供給システム１は、ＳＯＦＣ２０ＡおよびＰＥＦＣ２０Ｂのような複数の分散型電源の他に、さらに任意の個数の分散型電源を含んで構成することができる。図１に示す電力供給システム１は、ＳＯＦＣ２０Ａ、ＰＥＦＣ２０Ｂ、太陽電池２２、および蓄電池２４から構成される複数の分散型電源を含み、これらのうちＳＯＦＣ２０ＡおよびＰＥＦＣ２０Ｂが燃料電池による複数の分散型電源を構成している。図１に示すように、ＳＯＦＣ２０Ａは、燃料電池の電源ユニット６０Ａを含んで構成される。同様に、ＰＥＦＣ２０Ｂは、燃料電池の電源ユニット６０Ｂを含んで構成される。
【００１８】
図１に示すように、電力供給機器５は、複数の分散型電源、すなわちＳＯＦＣ２０Ａ、ＰＥＦＣ２０Ｂ、太陽電池２２、および蓄電池２４に接続される。電力供給機器５は、複数の分散型電源から出力される電力を制御して、負荷２００に供給する。ここで、インバータ１０は、系統１００に連系して負荷２００に供給する電力を直流から交流に変換する。このようにインバータ１０が電力の変換を行うための構成は、従来のパワーコンディショナ（インバータ）と同様の構成を採用することができる。
【００１９】
電力供給機器５のインバータ１０は、入力される直流電力を交流電力に変換する。インバータ１０は、ＤＣ／ＤＣコンバータおよびＤＣ／ＡＣインバータなどを備えている。ここで、ＤＣ／ＤＣコンバータは、太陽電池２２および蓄電池２４などの分散型電源から出力される直流の電力を昇圧または降圧するなどの調整を行う。ＤＣ／ＡＣインバータは、ＤＣ／ＤＣコンバータが電圧を調整した直流の電力を交流に変換して出力する。また、このインバータ１０は、双方向インバータとして、例えば系統１００から買電した交流電力を直流電力に変換して、蓄電池２４に充電することもできる。これらＤＣ／ＤＣコンバータおよびＤＣ／ＡＣインバータは、一般的によく知られた構成とすることができるため、より詳細な説明は省略する。
【００２０】
電力供給機器５の制御部１８は、電力供給機器５の各機能部をはじめとして電力供給機器５の全体を制御および管理する。制御部１８は、例えばマイコンまたはプロセッサ（ＣＰＵ）などで構成することができる。また、制御部１８は、各種プログラムおよび種々の情報を記憶するメモリも備えるものとして、以下説明する。このメモリは、制御部１８が行うデータ解析および各種の演算処理などを行う際のアルゴリズム、およびルックアップテーブル（ＬＵＴ）のような各種の参照テーブルなども記憶する。
【００２１】
制御部１８は、太陽電池２２および蓄電池２４から入力される直流電力を制御することにより、インバータ１０から出力される交流電力を制御することができる。また、制御部１８は、インバータ１０に入力される交流電力を制御することにより、蓄電池２４に充電される直流電力を制御することもできる。特に、本実施形態において、制御部１８は、後述するように、擬似電流発生回路３０の可変抵抗３４，３６の抵抗値を制御することにより、擬似電流発生回路３０が発生する順潮流方向の電流量を制御する。以下、本実施形態独自の制御に係る制御部１８などの動作について主に説明する。
【００２２】
スイッチ１２およびスイッチ１４は連系運転スイッチであり、スイッチ１６は自立運転スイッチである。スイッチ１２，１４，１６は、リレーまたはトランジスタなどにより構成することができる。スイッチ１２，１４，１６は、制御部１８からの制御信号に基づいてオン／オフ状態を切り替え可能に構成される。このような制御のため、スイッチ１２，１４，１６は、それぞれ制御部１８に接続されるが、そのような接続は図１においては省略してある。
【００２３】
連系運転スイッチ１２は、分散型電源である太陽電池２２および蓄電池２４と、系統１００との連系のオン／オフを切り替える。すなわち、連系運転スイッチ１２がオンの時は、太陽電池２２および蓄電池２４の出力をまとめて系統１００と連系する。また、連系運転スイッチ１２がオフの時は、太陽電池２２および蓄電池２４の出力はいずれも系統１００から解列し、系統１００とは連系しない。
【００２４】
連系運転スイッチ１４は、連系運転スイッチ１２と連動して切り替えられる。連系運転スイッチ１４の切り替え制御は、制御部１８からの制御信号により行ってもよいし、連系運転スイッチ１２に対する制御信号を分岐させて連系運転スイッチ１４に供給するように構成してもよい。
【００２５】
自立運転スイッチ１６は、分散型電源である太陽電池２２および蓄電池２４が系統１００と連系していない場合に、太陽電池２２および蓄電池２４の出力を負荷２００に供給するための経路を閉じることができる。すなわち、自立運転スイッチ１６は、連系運転スイッチ１２がオフ状態で太陽電池２２および蓄電池２４が系統１００から解列されている場合にオン状態となる。このような状態において、電力供給システム１は、太陽電池２２および蓄電池２４の出力を負荷２００に供給して自立運転を行うことができる。
【００２６】
インバータ１０に接続される分散型電源は、系統１００に連系して負荷２００に供給する電力を出力する。ここで、系統１００は、一般的な商用電力系統（グリッド）とすることができる。本発明に係る分散型電源は、例えばＳＯＦＣ２０ＡおよびＰＥＦＣ２０Ｂのような各種の燃料電池などを含んで構成することができる。特に、本実施形態においては、ＳＯＦＣ２０ＡおよびＰＥＦＣ２０Ｂのような分散型電源に含まれる電源ユニット（６０Ａ，６０Ｂ）は、発電した電力を系統に売電することができない、すなわち逆潮流させることができない電力を発電するものとするのが好適である。
【００２７】
ここで、「逆潮流させることができない電力」とは、例えば燃料電池の発電による電力や蓄電池から供給されるエネルギーに基づく電力であって、例えば現在の日本国におけるように売電が認められていない電力である。したがって、本実施形態において、「電源ユニット」とは、例えば太陽電池２２のように、発電した電力を系統に売電することができるものとは異なる発電部とするのが好適である。以下、電源ユニットは、図１に示すように、ＳＯＦＣ２０ＡおよびＰＥＦＣ２０Ｂに含まれる６０Ａ，６０Ｂである場合について説明する。しかしながら、本発明に係る電源ユニットはこのような燃料電池に限定されず、任意の発電部としてもよい。
【００２８】
ＳＯＦＣ２０ＡおよびＰＥＦＣ２０Ｂに含まれる電源ユニット６０Ａ，６０Ｂは、外部から供給される水素などのガスを電気化学反応させる燃料電池発電装置によって発電を行い、発電した電力を出力することができる。図１に示すように、電源ユニット６０Ａ，６０Ｂを含むＳＯＦＣ２０ＡおよびＰＥＦＣ２０Ｂは、分電盤５０を経由して、インバータ１０に接続される。本実施形態において、電力供給システム１は、ＳＯＦＣ２０ＡおよびＰＥＦＣ２０Ｂが発電する電力を、分電盤５０を経由して負荷２００に供給することができる。
【００２９】
本実施形態において、ＳＯＦＣ２０ＡおよびＰＥＦＣ２０Ｂは、起動時には系統１００からの電力を受けて運転を開始するが、起動した後は、系統１００からの電力を受けずに稼動する、すなわち自立運転が可能であってもよい。本実施形態において、ＳＯＦＣ２０ＡおよびＰＥＦＣ２０Ｂは、自立運転することができるように、改質部など他の機能部も必要に応じて適宜含むものとする。本実施形態において、ＳＯＦＣ２０ＡおよびＰＥＦＣ２０Ｂならびに電源ユニット６０Ａ，６０Ｂは、一般的によく知られた燃料電池で構成することができるため、燃料電池についてのより詳細な説明は省略する。
【００３０】
分散型電源の１つである太陽電池２２は、太陽光を利用して発電することができ、太陽光のエネルギーを直接的に電力に変換する。本実施形態において、太陽電池２２は、例えば家の屋根などにソーラパネルを設置して、太陽光を利用して発電するような態様を想定している。しかしながら、本発明において、太陽電池２２は、太陽光のエネルギーを電力に変換できるものであれば、任意のものを採用することができる。図１においては、太陽電池２２を１つのみ例示してあるが、任意の個数の各種の太陽電池を接続することができる。
【００３１】
また、分散型電源の１つである蓄電池２４は、充電された電力を放電することにより、電力を供給することができる。また、蓄電池２４は、系統１００または太陽電池２２等から供給される電力を充電することもできる。図１においては、蓄電池２４を１つのみ例示してあるが、任意の個数の各種の蓄電池を接続することができる。
【００３２】
分散型電源のうち太陽電池２２および蓄電池２４が発電した電力は、インバータ１０を経て、電力を消費する各種の負荷２００に供給することができる。ここで、インバータ１０からの電力は、分電盤５０を経由して、負荷２００に供給される。負荷２００は、電力供給システム１から電力が供給される、ユーザが使用する家電製品などの各種の機器とすることができる。図１においては、負荷２００は１つの部材として示してあるが、任意の個数の各種機器とすることができる。
【００３３】
また、図１に示すように、電力供給システム１において、太陽電池２２が発電する電力は、蓄電池２４が放電する電力に連結接続される。図１においては、太陽電池２２および蓄電池２４が出力した直流電力を連結しているが、本実施形態に係る電力供給システム１はこのような態様に限定されず、直流の電力を交流に変換してから連結してもよい。このように、電力供給システム１において、太陽電池２２および蓄電池２４が出力する電力は、電力供給機器５のインバータ１０に入力される。このような構成により、本実施形態では、複数の分散型電源を並列運転させることができる。すなわち、本実施形態において、電力供給機器５は、複数の電源ユニット２０Ａ，２０Ｂを含む複数の分散型電源を並列運転し、前記複数の分散型電源からの出力電力を負荷２００に供給する。
【００３４】
図１に示すように、本実施形態に係る電力供給システム１は、擬似電流発生回路３０を備えている。この擬似電流発生回路３０は、擬似電流源３２、および可変抵抗３４，３６を備えている。図１に示すように、擬似電流源３２には、可変抵抗３４，３６が並列に接続されている。このような構成により、擬似電流発生回路３０は、擬似電流源３２が出力する電流を、可変抵抗３４および３６に流すことができる。可変抵抗３４，３６は、抵抗を可変にすることにより、これらに流れる電流を変化させることができる。これら可変抵抗３４，３６は、電力供給機器５の制御部１８に接続される。制御部１８は、可変抵抗３４，３６の抵抗値を可変制御することにより、これらに流れる電流を調節することができる。
【００３５】
電流センサＣＴ１〜ＣＴ５は、電力供給線に流れる電流を検出するセンサである。電流センサＣＴ１〜ＣＴ５は、例えば、ＣＴ（Current Transformer：変流器）とすることができる。しかしながら、電流センサＣＴ１〜ＣＴ５は、電流を検出することができる要素であれば、任意のものを採用することができる。
【００３６】
図１に示すように、電流センサＣＴ１およびＣＴ２は、電力供給システム１が連系運転中に順潮流の電流を検出することができる箇所に配置される。すなわち、図１に示すように、ＣＴ１およびＣＴ２は、スイッチ１４がオンの状態において、系統１００と分電盤５０との間に設けられる。ここで、順潮流の電流とは、系統１００から電力供給システム１に向かって流れる電流である。また、逆潮流の電流とは、前記順潮流とは反対に、電力供給システム１から系統１００に向かって流れる電流である。図１において、電流センサＣＴ１およびＣＴ２が検出する順潮流の電流とは、系統１００から分電盤５０の方向に流れる電流である。
【００３７】
図１に示すように、電流センサＣＴ１は、分散型電源であるＳＯＦＣ２０Ａに接続される。また、電流センサＣＴ２は、分散型電源であるＰＥＦＣ２０Ｂに接続される。このような構成により、電流センサＣＴ１，ＣＴ２が検出した結果を、それぞれＳＯＦＣ２０Ａ，ＰＥＦＣ２０Ｂに通知することができる。電流センサＣＴ１，ＣＴ２は、それぞれＳＯＦＣ２０Ａ，ＰＥＦＣ２０Ｂと有線または無線で通信することができるように構成する。
【００３８】
ＳＯＦＣ２０ＡおよびＰＥＦＣ２０Ｂのような燃料電池が発電する電力は、現在の日本国においては、系統に売電することができない。したがって、ＳＯＦＣ２０ＡおよびＰＥＦＣ２０Ｂのような燃料電池は、逆潮流の電流が検出される際には、発電を行わないようにする。具体的には、ＳＯＦＣ２０ＡおよびＰＥＦＣ２０Ｂは、順潮流の電流が所定値以上検出される時にのみ、発電を行うようにする。すなわち、複数の電源ユニット６０Ａ，６０Ｂは、前記複数の電源ユニット６０Ａ，６０Ｂにそれぞれ接続された電流センサＣＴ１，ＣＴ２が順潮流の電流を検出している時に電力を出力してもよい。このように、ＳＯＦＣ２０ＡおよびＰＥＦＣ２０Ｂは、それぞれ電流センサＣＴ１およびＣＴ２の検出する電流に基づいて、発電の可否および発電する電力量を制御する。
【００３９】
また、図１に示すように、電流センサＣＴ１は、擬似電流発生回路３０の可変抵抗３４に流れる電流も検出する。電流センサＣＴ２は、擬似電流発生回路３０の可変抵抗３６に流れる電流も検出する。上述したように、擬似電流発生回路３０において、可変抵抗３４および３６は、擬似電流発生回路３０が発生する電流を調節することができる。したがって、例えば停電などで系統１００からの電力供給が途絶え、電力供給システム１が自立運転している間でも、擬似電流発生回路３０が順潮流方向の電流を発生させて、電流センサＣＴ１およびＣＴ２が順潮流の電流を検出するようにできる。
【００４０】
このようにして、電力供給システム１において、実際には系統１００からの順潮流の電力が供給されていなくとも、ＳＯＦＣ２０ＡおよびＰＥＦＣ２０Ｂは発電を行うことができる。また、電力供給システム１において、制御部１８は、擬似電流発生回路３０が発生する電流を可変抵抗３４，３６で制御することにより、ＳＯＦＣ２０ＡおよびＰＥＦＣ２０Ｂの発電する電力量を制御することができる。また、制御部１８は、可変抵抗３４，３６の抵抗値と、電流センサＣＴ１，ＣＴ２が検出する電流値と、ＳＯＦＣ２０Ａ，ＰＥＦＣ２０Ｂが発電する電力の出力との相関関係を、予め取得または算出するなどして、例えば内蔵のメモリなどに記憶することができる。
【００４１】
電流センサＣＴ３は、ＳＯＦＣ２０Ａから出力される電流を検出する。このため、電流センサＣＴ３は、図１に示すように、ＳＯＦＣ２０Ａと分電盤５０との間に流れる電流を検出することができる箇所に配置される。電流センサＣＴ４は、ＰＥＦＣ２０Ｂから出力される電流を検出する。このため、電流センサＣＴ４は、図１に示すように、ＰＥＦＣ２０Ｂと分電盤５０との間に流れる電流を検出することができる箇所に配置される。電流センサＣＴ５は、負荷２００に供給される電流を検出する。このため、電流センサＣＴ５は、図１に示すように、分電盤５０と負荷２００との間に流れる電流を検出することができる箇所に配置される。電流センサＣＴ３〜ＣＴ５は、制御部１８と有線または無線で通信することができるように構成する。このような構成により、電流センサＣＴ３〜ＣＴ５が検出した結果を、制御部１８に通知することができる。
【００４２】
次に、本実施形態に係る電力供給システム１の動作について説明する。
【００４３】
図２は、ＳＯＦＣおよびＰＥＦＣを含む従来の電力供給システムにおいて、通常行われている起動時の制御を説明する図である。図２に示す例は、ＳＯＦＣおよびＰＥＦＣが原点Ｏの時点から起動を開始し、その後ＳＯＦＣおよびＰＥＦＣがそれぞれ出力する電力の時間変化を表している。図２においては、ＳＯＦＣの出力する電力をＷｓとして示し、ＰＥＦＣの出力する電力をＷｐとして示してある。また、図２においては、負荷２００が必要とする消費電力をＷ負荷として示してある。なお、図２において、負荷２００の消費電力（Ｗ負荷）は、ＳＯＦＣの最大出力とＰＥＦＣの最大出力との和を超えないものとする。また、図２に示すように、ＳＯＦＣおよびＰＥＦＣが同時に起動を開始すると、起動時間が比較的短いＰＥＦＣの方が先に出力を開始し、次に起動時間が比較的長いＳＯＦＣが出力を開始する。
【００４４】
図２に示すように、ＳＯＦＣおよびＰＥＦＣが同時に起動を開始すると、Ｗｐを出力するＰＥＦＣは起動速度が速いため、比較的早期に起動完了し、最大出力で電力を供給することが可能になる。そして、Ｗｓを出力するＳＯＦＣが起動を完了して最大出力が可能になる前に、Ｗｐを出力するＰＥＦＣがすでに多くの電力を負荷に供給してしまっている。このように、ＳＯＦＣおよびＰＥＦＣを含むシステムにおいては、これらが起動を開始すると、発電効率の高いＳＯＦＣが出力を開始する前に、発電効率の低いＰＥＦＣが出力を開始する。その結果、発電効率の高いＳＯＦＣが常に最大の出力で運転している状態にならないため、システム全体としての効率を低下させることになる。
【００４５】
したがって、本実施形態においては、電力供給機器５は、発電効率の高いＳＯＦＣ２０Ａから優先して出力が高くなるように、ＳＯＦＣ２０ＡおよびＰＥＦＣ２０Ｂからの出力電力をそれぞれ制御する。また、本実施形態において、ＳＯＦＣ２０ＡおよびＰＥＦＣ２０Ｂの起動時から所定時間は、ＰＥＦＣ２０Ｂのように起動時間が短いものから優先して出力が高くなるように制御してもよい。
【００４６】
図３は、ＳＯＦＣ２０ＡおよびＰＥＦＣ２０Ｂを含む本実施形態に係る電力供給システム１において行う起動時の制御を説明する図である。図３に示す各記号の意味は、図２と同様である。なお、図３において、負荷２００の消費電力（Ｗ負荷）は、ＳＯＦＣ２０Ａの最大出力とＰＥＦＣ２０Ｂの最大出力との和を超えないものとする。
【００４７】
図３に示すように、ＳＯＦＣ２０ＡおよびＰＥＦＣ２０Ｂが同時に起動を開始すると、図２に示したのと同様に、Ｗｐを出力するＰＥＦＣ２０ＢはＷｓを出力するＳＯＦＣ２０Ａよりも先に出力を開始する。しかしながら、本実施形態では、発電効率が高いＳＯＦＣ２０Ａから優先して出力が高くなるように、ＳＯＦＣ２０ＡおよびＰＥＦＣ２０Ｂの出力電力をそれぞれ制御する。このため、ＳＯＦＣ２０Ａが常に優先的に最大電力で出力するように、ＳＯＦＣ２０ＡおよびＰＥＦＣ２０Ｂが制御される。このような制御により、電力Ｗｓが電力Ｗｐの後を追い、やがてＷｓとＷｐとを足した電力が負荷２００の消費電力（Ｗ負荷）に達すると、ＳＯＦＣ２０Ａの出力Ｗｓを優先させて、ＰＥＦＣ２０Ｂの出力Ｗｐを低下させる。したがって、ある時点で電力Ｗｓが電力Ｗｐを超えて、負荷２００の消費電力（Ｗ負荷）内でＳＯＦＣ２０Ａは最大出力を維持して電力を供給することができる。
【００４８】
本実施形態において、図３に示したＷｓを増大させる制御およびＷｐを増減させる制御は、自立運転時は、制御部１８が可変抵抗３４，３６の抵抗値を調整することにより、電流センサＣＴ１，ＣＴ２が検出する電流を制御することにより行うことができる。
【００４９】
このように、本実施形態において、制御部１８は、複数の電源ユニット６０Ａ，６０Ｂのうち発電効率が高いもの（例えば６０Ａ）から優先して出力が高くなるように、複数の電源ユニット６０Ａ，６０Ｂからの出力電力をそれぞれ制御する。制御部１８は、電力供給機器５の自立運転時、電流センサＣＴ１，ＣＴ２によって検出される電流をそれぞれ制御することにより、複数の電源ユニット６０Ａ，６０Ｂからの出力電力をそれぞれ制御してもよい。
【００５０】
また、本実施形態において、制御部１８は、複数の電源ユニット６０Ａ，６０Ｂの起動時から所定時間、前記複数の電源ユニット６０Ａ，６０Ｂのうち起動時間が短いもの（例えば６０Ｂ）から優先して出力が高くなるように制御してもよい。ここで、「複数の電源ユニット６０Ａ，６０Ｂの起動時から所定時間」とは、例えば、複数の電源ユニット６０Ａ，６０Ｂの起動の開始時点から、前記複数の電源ユニット６０Ａ，６０Ｂからの出力電力の合計が負荷２００の消費電力に達するまでとしてもよい。
【００５１】
本実施形態によれば、効率の高いＳＯＦＣ２０Ａの出力を最大限に活用することができる。したがって、本実施形態によれば、複数の電源ユニットを含むシステム全体としての発電効率を向上することができる。また、本実施形態によれば、起動は遅いが効率の良いＳＯＦＣ２０Ａと、効率は低いが起動は早いＰＥＦＣ２０Ｂとを併用することで、両燃料電池の欠点を補い合うため、起動を早めることもできる。
【００５２】
次に、本実施形態において、負荷２００の消費電力が変動する場合について説明する。なお、図４〜図６に示す各記号の意味は、図２と同様である。
【００５３】
まず、ＳＯＦＣ２０ＡおよびＰＥＦＣ２０Ｂの最大出力と、ＳＯＦＣ２０ＡおよびＰＥＦＣ２０Ｂの最小出力との間で、負荷２００の消費電力が変動する場合について説明する。
【００５４】
図４は、負荷２００の変動時に電力供給システム１において行う制御を説明する図である。
【００５５】
例えば図３に示した起動時の制御によりＳＯＦＣ２０ＡおよびＰＥＦＣ２０Ｂの出力を制御した後、図４に示すように、あるタイミングで負荷２００の消費電力（Ｗ負荷）が変動したとする。図４においては、負荷２００の消費電力（Ｗ負荷）は、途中で増大している。このような場合、制御部１８は、発電効率が高いＳＯＦＣ２０Ａが最大出力になるように制御する。そして、制御部１８は、負荷２００の消費電力が増大した分は、ＰＥＦＣ２０Ｂが負荷追従するように制御する。図４において、ＳＯＦＣ２０Ａの出力電力Ｗｓは最大のまま維持されており、ＰＥＦＣ２０Ｂの出力電力Ｗｐは、増大する負荷２００の消費電力（Ｗ負荷）に追従して増大している。なお、負荷２００の消費電力（Ｗ負荷）が途中で減少する場合、制御部１８は、発電効率が高いＳＯＦＣ２０Ａが最大出力を維持するように制御して、負荷２００の消費電力が減少した分は、ＰＥＦＣ２０Ｂが負荷追従するように制御することができる。
【００５６】
このように、制御部１８は、負荷２００の消費電力が、複数の電源ユニット６０Ａ，６０Ｂのうち発電効率が最も高いもの（例えば６０Ａ）の最大の出力電力よりも大きい時、前記発電効率が最も高い電源ユニット（６０Ａ）が最大出力になるように制御してもよい。また、この時、制御部１８は、前記発電効率が最も高い電源ユニット（６０Ａ）以外の電源ユニット（例えば６０Ｂ）が、負荷追従するように制御してもよい。
【００５７】
次に、負荷２００の消費電力が変動して、ＳＯＦＣ２０ＡおよびＰＥＦＣ２０Ｂの最大出力を超える場合について説明する。
【００５８】
図５は、負荷２００が変動してＳＯＦＣ２０ＡおよびＰＥＦＣ２０Ｂの最大出力を超える際に電力供給システム１において行う制御を説明する図である。
【００５９】
例えば図５に示すように、あるタイミングで負荷２００の消費電力（Ｗ負荷）が増大して、ＳＯＦＣ２０ＡおよびＰＥＦＣ２０Ｂの最大出力を超えたとする。図５においては、負荷２００の消費電力（Ｗ負荷）は途中で増大し、ＳＯＦＣ２０ＡおよびＰＥＦＣ２０Ｂの最大出力（Ｗｓ最大＋Ｗｐ最大）を超えている。このような場合、制御部１８は、発電効率が高いＳＯＦＣ２０Ａが最大出力になるように制御し、さらにＰＥＦＣ２０Ｂも最大出力になるように制御する。そして、制御部１８は、負荷２００の消費電力がＳＯＦＣ２０ＡおよびＰＥＦＣ２０Ｂの最大出力を超えて増大する分については、例えば太陽電池２２および／または蓄電池２４が出力する電力で補うように制御する。図５において、ＳＯＦＣ２０Ａの出力電力Ｗｓは最大のまま維持されており、ＰＥＦＣ２０Ｂの出力電力Ｗｐも最大まで増大させている。さらに、図５において、ＳＯＦＣ２０Ａの出力電力ＷｓおよびＰＥＦＣ２０Ｂの出力電力Ｗｐで不足する分は、太陽電池２２および／または蓄電池２４が出力する電力（Ｗｍ）で負荷２００の消費電力（Ｗ負荷）を補っている。
【００６０】
このように、制御部１８は、負荷２００の消費電力が、複数の電源ユニット６０Ａ，６０Ｂ全ての最大の出力電力よりも大きい時、前記複数の電源ユニット６０Ａ，６０Ｂ全てが最大出力になるように制御してもよい。また、この時、制御部１８は、複数の電源ユニット６０Ａ，６０Ｂ以外の分散型電源（例えば２２，２４）が出力する電力を負荷２００に供給するように制御してもよい。
【００６１】
次に、負荷２００の消費電力が変動して、ＳＯＦＣ２０ＡおよびＰＥＦＣ２０Ｂの最小出力を下回る場合について説明する。
【００６２】
図６は、負荷２００が変動してＳＯＦＣ２０ＡおよびＰＥＦＣ２０Ｂの最小出力を下回る際に電力供給システム１において行う制御を説明する図である。
【００６３】
例えば図６に示すように、あるタイミングで負荷２００の消費電力（Ｗ負荷）が減少して、ＳＯＦＣ２０ＡおよびＰＥＦＣ２０Ｂの最小出力を下回ったとする。図６においては、負荷２００の消費電力（Ｗ負荷）は途中で減少し、ＳＯＦＣ２０ＡおよびＰＥＦＣ２０Ｂの最小出力（Ｗｓ最小＋Ｗｐ最小）を下回っている。このような場合、制御部１８は、ＳＯＦＣ２０ＡおよびＰＥＦＣ２０Ｂが最小出力になるように制御する。そして、制御部１８は、負荷２００の消費電力がＳＯＦＣ２０ＡおよびＰＥＦＣ２０Ｂの最小出力を下回って減少する分については、例えば蓄電池２４に充電するように制御する。図６において、ＰＥＦＣ２０Ｂの出力電力Ｗｐは最小のまま維持されており、ＳＯＦＣ２０Ａの出力電力Ｗｓは最小まで低減させている。さらに、図６において、負荷２００の消費電力（Ｗ負荷）が減少してＳＯＦＣ２０およびＰＥＦＣ２０Ｂの最小出力（Ｗｓ最小＋Ｗｐ最小）を下回る分（図６においてハッチングを付した部分）は、蓄電池２４に充電することができる。
【００６４】
このように、制御部１８は、負荷２００の消費電力が、複数の電源ユニット６０Ａ，６０Ｂ全ての最小の出力電力よりも小さい時、前記複数の電源ユニット６０Ａ，６０Ｂ全てが最小出力になるように制御してもよい。また、この時、制御部１８は、複数の電源ユニット６０Ａ，６０Ｂが出力する電力の余剰を、複数の分散型電源に含まれる蓄電池２４に充電するように制御してもよい。
【００６５】
次に、図３〜図６において説明した本実施形態に係る電力供給システム１の動作を行うための制御について説明する。
【００６６】
図７は、電力供給システム１の動作において電力供給機器５が行う制御を説明するフローチャートである。
【００６７】
図７に示す制御を開始するトリガとしては、例えば停電などによって系統１００からの電力供給が停止して、電力供給システム１が自立運転を開始した時点などを想定することができる。電力供給システム１が自立運転を開始し、図７に示す制御が開始すると、電力供給機器５の制御部１８は、擬似電流発生回路３０が擬似電流を発生するように制御する（ステップＳ１１）。具体的には、上述したように、制御部１８は、可変抵抗３４および３６の抵抗値を変化させるなど擬似電流発生回路３０を制御して、電流センサＣＴ１およびＣＴ２が検出する電流（擬似電流）を発生させる。
【００６８】
ステップＳ１１において擬似電流が発生すると、電流センサＣＴ１およびＣＴ２が順潮流方向の電流を検出することにより、ＳＯＦＣ２０ＡおよびＰＥＦＣ２０Ｂはそれぞれ起動を開始する。上述したように、ＰＥＦＣ２０ＢはＳＯＦＣ２０Ａよりも起動速度が速いため、ＰＥＦＣ２０ＢはＳＯＦＣ２０Ａよりも早いタイミングで起動を完了して電力の出力を開始することができる。このため、まずはＰＥＦＣ２０Ｂが電力の出力を開始し（ステップＳ１２）、それからＳＯＦＣ２０Ａが電力の出力を開始する（ステップＳ１３）。
【００６９】
ステップＳ１３においてＳＯＦＣ２０Ａも電力の出力を開始したら、制御部１８は、擬似電流発生回路３０が発生する擬似電流を調節することによって、ＳＯＦＣ２０ＡおよびＰＥＦＣ２０Ｂの出力電力をそれぞれ制御する（ステップＳ１４）。ステップＳ１４における制御に基づいて、例えば図３で説明したような動作が行われる。
【００７０】
ステップＳ１４の後、制御部１８は、負荷２００の消費電力がＳＯＦＣ２０ＡおよびＰＥＦＣ２０Ｂの最小出力よりも小さいか否かを判定する（ステップＳ１５）。
【００７１】
ステップＳ１５において、負荷２００の消費電力がＳＯＦＣ２０ＡおよびＰＥＦＣ２０Ｂの最小出力よりも小さい時、制御部１８は、ＳＯＦＣ２０ＡおよびＰＥＦＣ２０Ｂを最小出力にして、余剰の電力は蓄電池２４に充電するように制御する（ステップＳ１６）。ここでも、制御部１８は、擬似電流発生回路３０が発生する擬似電流を調節することによって、ＳＯＦＣ２０ＡおよびＰＥＦＣ２０Ｂの出力の制御を行う。ステップＳ１６における制御に基づいて、例えば図６で説明したような動作が行われる。
【００７２】
ステップＳ１５において負荷２００の消費電力がＳＯＦＣ２０ＡおよびＰＥＦＣ２０Ｂの最小出力よりも小さくない時、制御部１８は、前記消費電力がＳＯＦＣ２０ＡおよびＰＥＦＣ２０Ｂの最大出力よりも大きいか否かを判定する（ステップＳ１７）。
【００７３】
ステップＳ１７において、負荷２００の消費電力がＳＯＦＣ２０ＡおよびＰＥＦＣ２０Ｂの最大出力よりも大きい時、制御部１８は、ＳＯＦＣ２０ＡおよびＰＥＦＣ２０Ｂを最大出力にするように制御する（ステップＳ１８）。また、ステップＳ１８においては、制御部１８は、ＳＯＦＣ２０ＡおよびＰＥＦＣ２０Ｂを最大出力にしても不足する電力を、太陽電池２２および／または蓄電池２４から供給するように制御する。ここでも、制御部１８は、擬似電流発生回路３０が発生する擬似電流を調節することによって、ＳＯＦＣ２０ＡおよびＰＥＦＣ２０Ｂの出力の制御を行う。ステップＳ１８における制御に基づいて、例えば図５で説明したような動作が行われる。
【００７４】
ステップＳ１７において負荷２００の消費電力がＳＯＦＣ２０ＡおよびＰＥＦＣ２０Ｂの最大出力よりも大きくない時、制御部１８は、ＳＯＦＣ２０Ａを最大出力にするように制御する（ステップＳ１９）。また、ステップＳ１９においては、制御部１８は、ＳＯＦＣ２０Ａの出力電力では不足する分を、ＰＥＦＣ２０Ｂの出力電力を負荷追従させることにより補う。ここでも、制御部１８は、擬似電流発生回路３０が発生する擬似電流を調節することによって、ＳＯＦＣ２０ＡおよびＰＥＦＣ２０Ｂの出力の制御を行う。ステップＳ１９における制御に基づいて、例えば図４で説明したような動作が行われる。
【００７５】
このように、本実施形態では、ＳＯＦＣ２０Ａに含まれる電源ユニット６０Ａのような発電効率の高い電源ユニットを常に優先的に高い出力（好適には最大出力）になるように制御することができる。したがって、本実施形態によれば、複数の電源ユニットを含むシステム全体としての発電効率を向上することができる。
【００７６】
また、本実施形態によれば、複数台の燃料電池を、他の分散型電源と併用することにより、大きな押し上げ効果が期待できる。例えば、本実施形態では、ＳＯＦＣ２０ＡおよびＰＥＦＣ２０Ｂ以外に、太陽電池２２も併用して電力供給を行う。このため、ＳＯＦＣ２０ＡおよびＰＥＦＣ２０Ｂが発電する電力を優先的に負荷２００で消費することにより、太陽電池２２が発電する電力を系統１００に売電することができる。このような構成においては、ＳＯＦＣ２０ＡおよびＰＥＦＣ２０Ｂのような燃料電池を複数採用することで、電力の押し上げ効果を高めることができる。
【００７７】
また、太陽電池および／または蓄電池を備える電力供給システムにおいては、自立運転時に、太陽電池および／または蓄電池からの電力を確保することが期待できる。しかしながら、太陽電池の発電は天候に左右され、蓄電池に充電された電力にも限りがある。このため、このような電力供給システムにおいて長時間の電力供給を行うことは困難である。本実施形態では、ＳＯＦＣ２０ＡおよびＰＥＦＣ２０Ｂのような燃料電池を採用している。このため、本実施形態に係る電力供給システム１においては、燃料電池の発電に必要なガスなどが供給される限り、安定して電力を確保することができる。
【００７８】
本発明を諸図面および実施例に基づき説明してきたが、当業者であれば本開示に基づき種々の変形および修正を行うことが容易であることに注意されたい。したがって、これらの変形および修正は本発明の範囲に含まれることに留意されたい。例えば、各機能部、各手段、各ステップなどに含まれる機能などは論理的に矛盾しないように再配置可能であり、複数の機能部およびステップなどを１つに組み合わせたり、或いは分割したりすることが可能である。また、上述した本発明の各実施形態は、それぞれ説明した各実施形態に忠実に実施することに限定されるものではなく、適宜、各特徴を組み合わせたり、一部を省略したりして実施することもできる。
【００７９】
また、本発明は、電力供給機器５の発明としてのみならず、電力供給機器５を含む電力供給システム１の発明としても実施し得る。この場合、前記システム１は、複数の電源ユニット６０Ａ，６０Ｂを含む複数の分散型電源と、前記複数の分散型電源を並列運転し、前記複数の分散型電源からの出力電力を負荷２００に供給する電力供給機器５と、を含んで構成される。また、前記システムにおいて、電力供給機器５は、複数の電源ユニット６０Ａ，６０Ｂのうち発電効率が高いもの（例えば６０Ａ）から優先して出力が高くなるように、複数の電源ユニット６０Ａ，６０Ｂからの出力電力をそれぞれ制御する制御部１８を備える。
【００８０】
さらに、本発明は、上述したような電力供給システム１における電力供給方法としても実施し得る。この場合、前記方法は、複数の電源ユニット６０Ａ，６０Ｂを含む複数の分散型電源を並列運転するステップと、複数の分散型電源からの出力電力を負荷２００に供給するステップと、複数の電源ユニット６０Ａ，６０Ｂのうち発電効率が高いもの（例えば６０Ａ）から優先して出力が高くなるように、複数の電源ユニット６０Ａ，６０Ｂからの出力電力をそれぞれ制御するステップと、を含む。
【００８１】
本開示内容の多くの側面は、プログラム命令を実行可能なコンピュータシステムその他のハードウェアによって実行される、一連の動作として示される。コンピュータシステムその他のハードウェアには、例えば、汎用コンピュータ、ＰＣ(パーソナルコンピュータ)、専用コンピュータ、ワークステーション、ＰＣＳ(Personal Communications System、パーソナル移動通信システム)、電子ノートパッド、ラップトップコンピュータ、又はその他のプログラム可能なデータ処理装置が含まれる。各実施形態では、種々の動作は、プログラム命令(ソフトウェア)で実装された専用回路(例えば、特定機能を実行するために相互接続された個別の論理ゲート)又は、１つ以上のプロセッサによって実行される論理ブロック若しくはプログラムモジュール等によって実行されることに留意されたい。論理ブロック又はプログラムモジュール等を実行する１つ以上のプロセッサには、例えば、１つ以上のマイクロプロセッサ、ＣＰＵ(中央演算処理ユニット)、ＡＳＩＣ(Application Specific Integrated Circuit)、ＤＳＰ(Digital Signal Processor)、ＰＬＤ(Programmable Logic Device)、ＦＰＧＡ(Field Programmable Gate Array)、コントローラ、マイクロコントローラ、電子機器、ここに記載する機能を実行可能に設計されたその他の装置及び／又はこれらいずれかの組合せが含まれる。ここに示す実施形態は、例えば、ハードウェア、ソフトウェア、ファームウェア、ミドルウェア、マイクロコード又はこれらいずれかの組合せによって実装される。
【００８２】
ここで用いられる機械読取り可能な非一時的記憶媒体は、更に、ソリッドステートメモリ、磁気ディスク及び光学ディスクの範疇で構成されるコンピュータ読取り可能な有形のキャリア（媒体）として構成することができる。かかる媒体には、ここに開示する技術をプロセッサに実行させるためのプログラムモジュールなどのコンピュータ命令の適宜なセット及び、データ構造が格納される。コンピュータ読取り可能な媒体には、１つ以上の配線を備えた電気的接続、磁気ディスク記憶媒体、その他の磁気及び光学記憶装置(例えば、ＣＤ(Compact Disk)、ＤＶＤ（登録商標）(Digital Versatile Disc)、及びブルーレイディスク（登録商標))、可搬型コンピュータディスク、ＲＡＭ(Random Access Memory)、ＲＯＭ(Read-Only Memory)、ＥＰＲＯＭ、ＥＥＰＲＯＭ若しくはフラッシュメモリ等の書換え可能でプログラム可能なＲＯＭ若しくは情報を格納可能な他の有形の記憶媒体又はこれらいずれかの組合せが含まれる。メモリは、プロセッサ／プロセッシングユニットの内部及び／又は外部に設けることができる。ここで用いられるように、「メモリ」という語は、あらゆる種類の長期記憶用、短期記憶用、揮発性、不揮発性その他のメモリを意味し、特定の種類若しくはメモリの数又は記憶が格納される媒体の種類は限定されない。
【符号の説明】
【００８３】
１  電力供給システム
５  電力供給機器
１０  インバータ
１２，１４，１６  スイッチ
１８  制御部
２０Ａ  固体酸化物形燃料電池（ＳＯＦＣ）
２０Ｂ  固体高分子形燃料電池（ＰＥＦＣ）
２２  太陽電池
２４  蓄電池
３０  擬似電流発生回路
３２  擬似電流源
３４，３６  可変抵抗
５０  分電盤
６０Ａ  電源ユニット
６０Ｂ  電源ユニット
１００  系統
２００  負荷
ＣＴ１〜ＣＴ５  電流センサ
【図１】
2016063517.tif 000003
【図２】
2016063517.tif 000004
【図３】
2016063517.tif 000005
【図４】
2016063517.tif 000006
【図５】
2016063517.tif 000007
【図６】
2016063517.tif 000008
【図７】
2016063517.tif 000009
【国際調査報告】
2016063517.tif 000010
2016063517.tif 000011
2016063517.tif 000012
2016063517.tif 000013